(57)【特許請求の範囲】
【請求項１】
室内と室外を連通する風洞パイプに装着させる形状で内部にファンモータが設けられる筒状部と、この筒状部の室内側開口の外周に半径方向に張り出した略方形状に形成されたフランジ部と、このフランジ部の周辺の背面側に形成した立ち上がり部を設けた本体フレームと、この本体フレームの内面側に設けられる電装部と、この電装部が設けられる位置と対向する側の前記筒状部に、前記風洞パイプ内に弾性係合するように設けられる板ばねと、前記電装部と筒状部間に設けられる水受け用リブと、前記本体フレームの前面側を湾曲状の湾曲面に形成し、前記本体フレームを天井に取り付けたときに、一番低くなる部分の前記水受け用リブの端部付近に結露水を排水する水抜き孔とを備え、前記筒状部を前記風洞パイプに装着したときに、前記水受け用リブおよび前記水抜き孔を前記風洞パイプの外側に配置されるように設け、前記本体フレームの背面側を、それぞれの部屋に落下した前記結露水が他の部屋に流れ込むことを防止するような複数の補強リブを設けて区切った複数の部屋を形成し、各部屋毎に前記水抜き孔を設けたことを特徴とする換気扇。
【請求項２】
水抜き孔を、４ｍｍ以上１２ｍｍ未満の丸孔または角孔により形成したことを特徴とする請求項１記載の換気扇。
【請求項３】
水抜き孔までの経路を形成するガイドリブを設けたことを特徴とする請求項１または２記載の換気扇。
【請求項４】
本体フレームに形成されるフランジ部の筒状部側近傍またはフランジ部と筒状部に跨る部分の少なくとも１ヶ所を多孔質材料で形成したことを特徴とする請求項１記載の換気扇。
【発明の詳細な説明】
【技術分野】
【０００１】
本発明は、本体フレームに設けたファンモータと電気的に接続される電装部品を設けた換気扇に関する。
【背景技術】
【０００２】
従来、この種の換気扇の一例として電装部品を設けた換気扇が知られている（例えば、特許文献１参照）。
【０００３】
以下、その換気扇について図９を参照にしながら説明する。
【０００４】
図に示すように、ファンモータ１０１を設けた換気扇本体１０２の室内側に裏面側に凹部１０３を形成したフランジ部１０４を設け、フランジ部１０４に凹部１０３に収納される形状で、ファンモータ１０１と電気的に接続される電源接続部１０５の一端を回動自在に支持するように、フランジ部１０４に支持ピン１０６を有した一対の支持台１０７を設け、電源接続部１０５の一端には支持ピン１０６の係合部を設け構成している。
【特許文献１】特許第３４３００３２号公報（［００１１］図１）
【発明の開示】
【発明が解決しようとする課題】
【０００５】
このような従来の換気扇では、浴室の天井に取り付けた場合には、ダクト内の結露水がダクトからフランジ部１０４に落下し、電源接続部１０５側へ結露水が流れ込み、電極の腐食が懸念されるという課題があり、設置状況や使用環境による耐久性能のばらつきを防止できることが要求されている。
【０００６】
本発明は、このような従来の課題を解決するものであり、電源接続部の電装部へ結露水が浸入するのを防ぎ、電極の腐食などによる耐久性能のばらつきを防止できる換気扇を提供することを目的としている。
【課題を解決するための手段】
【００１３】
本発明の換気扇は上記目的を達成するために、室内と室外を連通する風洞パイプに装着させる形状で内部にファンモータが設けられる筒状部と、この筒状部の室内側開口の外周に半径方向に張り出した略方形状に形成されたフランジ部と、このフランジ部の周辺の背面側に形成した立ち上がり部を設けた本体フレームと、この本体フレームの内面側に設けられる電装部と、この電装部が設けられる位置と対向する側の前記筒状部に、前記風洞パイプ内に弾性係合するように設けられる板ばねと、前記電装部と筒状部間に設けられる水受け用リブと、前記本体フレームの前面側を湾曲状の湾曲面に形成し、前記本体フレームを天井に取り付けたときに、一番低くなる部分の前記水受け用リブの端部付近に結露水を排水する水抜き孔とを備え、前記筒状部を前記風洞パイプに装着したときに、前記水受け用リブおよび前記水抜き孔を前記風洞パイプの外側に配置されるように設け、前記本体フレームの背面側を、それぞれの部屋に落下した前記結露水が他の部屋に流れ込むことを防止するような複数の補強リブを設けて区切った複数の部屋を形成し、各部屋毎に前記水抜き孔を設けたものである。
【００１４】
この手段により、電装部への浸水による電極の腐食などによる耐久性能のばらつきを防止することができる換気扇が得られる。
【００１５】
また、他の手段は、水抜き孔を、４ｍｍ以上１２ｍｍ未満の丸孔または角孔により形成したものである。
【００１６】
この手段により、水が表面張力による膜により滞留することなく、確実に水を抜くことができ、かつ、水抜き孔より指が入り電装部に触れることもない換気扇が得られる。
【００１７】
また、他の手段は、水抜き孔までの経路を形成するガイドリブを設けたものである。
【００１８】
この手段により、水が電装部に流れることなく確実に水が排出できる換気扇が得られる。
【００１９】
また、他の手段は、本体フレームに形成されるフランジ部の筒状部側近傍またはフランジ部と筒状部に跨る部分の少なくとも１ヶ所を多孔質材料で形成したものである。
【００２０】
この手段により、多孔質材料が結露水を吸水し、風路に面することにより乾燥させることができる換気扇が得られる。
【発明の効果】
【００２１】
本発明によれば、電装部への浸水による電極の腐食などによる耐久性能のばらつきを防止することができるという効果のある換気扇を提供できる。
【００２２】
また、電装部に水がたまる前に、より早く排水することができるという効果のある換気扇を提供できる。
【００２３】
また、水が表面張力による膜により滞留することなく確実に水を抜くことができ、かつ、水抜き孔より指が入り電装部に触れることもないという効果のある換気扇を提供できる。
【００２４】
また、結露水を吸水し、乾燥させることができるという効果のある換気扇を提供できる。
【発明を実施するための最良の形態】
【００２８】
本発明の請求項１記載の換気扇は、室内と室外を連通する風洞パイプに装着させる形状で内部にファンモータが設けられる筒状部と、この筒状部の室内側開口の外周に半径方向に張り出した略方形状に形成されたフランジ部と、このフランジ部の周辺の背面側に形成した立ち上がり部を設けた本体フレームと、この本体フレームの内面側に設けられる電装部と、この電装部が設けられる位置と対向する側の前記筒状部に、前記風洞パイプ内に弾性係合するように設けられる板ばねと、前記電装部と筒状部間に設けられる水受け用リブと、前記本体フレームの前面側を湾曲状の湾曲面に形成し、前記本体フレームを天井に取り付けたときに、一番低くなる部分の前記水受け用リブの端部付近に結露水を排水する水抜き孔とを備え、前記筒状部を前記風洞パイプに装着したときに、前記水受け用リブおよび前記水抜き孔を前記風洞パイプの外側に配置されるように設け、前記本体フレームの背面側を、それぞれの部屋に落下した前記結露水が他の部屋に流れ込むことを防止するような複数の補強リブを設けて区切った複数の部屋を形成し、各部屋毎に前記水抜き孔を設けたものであり、天井に取り付けた場合に、風洞パイプに結露した結露水が、複数の部屋に分かれて流れ込み、各部屋毎に設けた水抜き孔により排出され、それぞれの部屋に落下した結露水が他の部屋に流れ込むことが防止され、電装部から離れた部屋に落下した結露水が電装部側に流れ込むことがなくなり、電装部への浸水による電極の腐食などによる耐久性能のばらつきを防止できるという作用を有する。
【００２９】
また、請求項２記載の換気扇は、水抜き孔を、４ｍｍ以上１２ｍｍ未満の丸孔または角孔により形成したものであり、表面張力によって膜が張らない程度の大きさに水抜き孔が形成されることによって、結露水がスムーズに流出し、水が溜まることが防止されることとなり、結露水が表面張力により形成される膜により滞留することなく確実に排出することができ、かつ、水抜き孔は指が入らない大きさのため、水抜き孔より指が入り電装部に触れる恐れもないという作用を有する。
【００３０】
また、請求項３記載の換気扇は、水抜き孔までの経路を形成するガイドリブを設けたものであり、ガイドリブにより結露水が意図しない箇所に流れることがなくなり、確実に水抜き孔より結露水を排出することができ、結露水が電装部側に流れるのを防止することができるという作用を有する。
【００３１】
また、請求項４記載の換気扇は、本体フレームに形成されるフランジ部の筒状部側近傍またはフランジ部と筒状部に跨る部分の少なくとも１ヶ所を多孔質材料で形成したものであり、多孔質材料によって、フランジ部の背面側から結露水を吸水し、吸水した結露水は風路に面するフランジ部表面の風の流れによって乾燥が促進されることとなり、結露水を吸水し、乾燥することができるという作用を有する。
【００３２】
以下、本発明の実施の形態について図面を参照しながら説明する。
【００３３】
（実施の形態１）
図１〜図５に示すように、室内と室外を連通するように壁部１または天井２に設けられる風洞パイプ３に装着される形状で、内部にファンモータ４の設けられる筒状部５と、筒状部５の室内側開口の外周に半径方向に張り出した略方形状に形成されたフランジ部６と、フランジ部６の周辺の背面側に形成された立ち上がり部７を設けた本体フレーム８と、本体フレーム８の内面側に設けられる電装部９と、電装部９の設けられる位置と対向する側の筒状部５に、風洞パイプ３内に弾性係合するように設けられる板ばね１０と、電装部９と筒状部５間に設けられる水受け用リブ１１と、結露水を排水する水抜き孔１２とを備え、筒状部５を風洞パイプ３の外側に配置されるように設ける。
【００３４】
また、水受け用リブ１１の端部に水抜き孔１２を設け、本体フレーム８の前面側を湾曲面１３により湾曲状に形成し、本体フレーム８を天井２に取り付けたときに、一番低くなる部分に水抜き孔１２を設け、本体フレーム８の背面側を複数の補強リブ１４を設けて区切り、複数の部屋１５を形成し、各部屋１５毎に水抜き孔１２を設け、水抜き孔１２を４ｍｍ以上１２ｍｍ未満の丸孔または角孔により形成し、本体フレーム８の前面には前面パネル１６を設け構成する。水抜き孔１２の寸法は、電気用品技術基準に定められる試験指の径１２ｍｍが通らない寸法とする。
【００３５】
上記構成において、室内と室外を連通するように壁部１または天井２に設けられる風洞パイプ３に装着される形状で内部にファンモータ４の設けられる筒状部５と、この筒状部５の室内側開口の外周に半径方向に張り出した略方形状に形成されたフランジ部６と、このフランジ部６の周辺の背面側に形成した立ち上がり部７とを設けた本体フレーム８と、この本体フレーム８の内面側に設けられる電装部９と、この電装部９の設けられる位置と対向する側の筒状部５に風洞パイプ３内に弾性係合するように設けられる板ばね１０と、電装部９と筒状部５間に設けられる水受け用リブ１１と、結露水を排水する水抜き孔１２とを備え、筒状部５を風洞パイプ３に装着したときに、水受け用リブ１１および、水抜き孔１２を風洞パイプ３の外側に配置されるように設けたので、風洞パイプ３内に設けられる筒状部５は板ばね１０により片寄り配設することとなり、電装部９は風洞パイプ３より遠ざかる位置に、施工者が意図しなくても配設することができ、浴室の天井２等に取り付けた場合には、風洞パイプ３を伝って下降してきた結露水は、本体フレーム８のフランジ部６により受け止められる。このとき、フランジ部６に設けた水受け用リブ１１および水抜き孔１２は風洞パイプ３の外側に配置されていることによって、結露水は電装部９側に流れないように設けた水受け用リブ１１を伝って水抜き孔１２より排出されることとなり、電装部９への浸水による電極の腐食などによる耐久性能のばらつきを防止できることとなる。
【００３６】
また、水受け用リブ１１の端部付近に水抜き孔１２を設けたので、風洞パイプ３を伝ってフランジ部６に流れた結露水は、水受け用リブ１１のどの部位に風洞パイプ３から結露水が落ちてきた場合においても、水受け用リブ１１により誘導されて水受け用リブ１１の端部付近に設けた水抜き孔１２より排出されることとなり、電装部９側に結露水が流れ込むことが防止され、電装部９の浸水による電極の腐食などによる耐久性能のばらつきを防止できることとなる。
【００３７】
また、本体フレーム８の前面側を湾曲状に形成し、本体フレーム８を天井２に取り付けたときに、一番低くなる部分に水抜き孔１２を設けたので、天井２に取り付けたときに、一番低くなる部分に結露水が溜まることとなるが、一番低くなる部分に水抜き孔１２が設けられていることにより、結露水を１箇所に集めてより早く排出することができ、電装部９側に結露水が溜まる前に排出することができることとなる。
【００３８】
また、本体フレーム８の背面側に複数の補強リブ１４を設けて区切り複数の部屋１５を形成し、各部屋毎に水抜き孔１２を設けたので、天井２に取り付けた場合に、風洞パイプ３に結露した結露水が複数の部屋１５に分かれて流れ込み各部屋１５毎に設けた水抜き孔１２により排出されそれぞれの部屋１５に落下した結露水が他の部屋１５に流れ込むことが防止され、電装部９から離れた部屋１５に落下した結露水が電装部９側に流れ込むことがなくなり、電装部９への浸水による電極の腐食などによる耐久性能のばらつきを防止できることとなる。
【００３９】
また、水抜き孔１２を、４ｍｍ以上１２ｍｍ未満の丸孔または角孔に形成したので表面張力によって膜が張らない程度の大きさに水抜き孔１２が形成されることによって結露水がスムーズに排出され、結露水が溜まることが防止されることとなり、結露水が表面張力により形成される膜により滞留するこなく確実に結露水を排出することができることとなり、かつ、水抜き孔は指が入らない大きさのため、水抜き孔より指が入り電装部に触れる恐れもない。
【００４０】
（実施の形態２）
図６に示すように、水抜き孔１２Ａまでの径路を形成するガイドリブ１７を設け構成する。
【００４１】
上記構成において、ガイドリブ１７により結露水が意図しない箇所に流れることがなくなり、確実に水抜き孔１２Ａより結露水を排出することができ、結露水が電装部９側に流れるのを防止することができることとなる。
【００４２】
（実施の形態３）
図７および図８に示すように、本体フレーム８Ａに形成されるフランジ部６Ａの筒状部５Ａ側近傍または、フランジ部６Ａと筒状部５Ａに跨がる部分の少なくとも１ヶ所を多孔質材料１８で形成し構成する。
【００４３】
上記構成において、多孔質材料１８によってフランジ部６Ａの背面側から結露水を吸水し、吸水した水は風路に面するフランジ部６Ａの表面の風の流れによって乾燥が促進されることとなり、結露水を吸水し乾燥することができることとなる。
【産業上の利用可能性】
【００４４】
本発明にかかる換気扇のフランジ部の構造は、電装部への浸水による電極の腐食などによる耐久性能のばらつきを防止できる構造によって、空調機、送風機等に設けられているフランジ部の構造にも適用である。
【図面の簡単な説明】
【００４５】
【図１】本発明の実施の形態１の換気扇の背面図
【図２】同換気扇の壁部に装着した状態を示す背面図
【図３】同換気扇の風洞パイプと電装部の関係を示す斜視図
【図４】同換気扇の壁部に設置した状態を示す断面図
【図５】同換気扇を天井に設置した状態を示す断面図
【図６】本発明の実施の形態２の換気扇の背面図
【図７】本発明の実施の形態３の換気扇の多孔質材料を形成した状態を示す正面斜視図
【図８】同換気扇の多孔質材料を形成した状態を示す背面斜視図
【図９】従来の換気扇の斜視図
【符号の説明】
【００４６】
１      壁部
２      天井
３      風洞パイプ
４      ファンモータ
５      筒状部
５Ａ    筒状部
６      フランジ部
６Ａ    フランジ部
７      立ち上がり部
８      本体フレーム
８Ａ    本体フレーム
９      電装部
１０    板ばね
１１    水受け用リブ
１２    水抜き孔
１２Ａ  水抜き孔
１４    補強リブ
１５    部屋
１７    ガイドリブ
１８    多孔質材料
【図１】
0004720571.tif 000002
【図２】
0004720571.tif 000003
【図３】
0004720571.tif 000004
【図４】
0004720571.tif 000005
【図５】
0004720571.tif 000006
【図６】
0004720571.tif 000007
【図７】
0004720571.tif 000008
【図８】
0004720571.tif 000009
【図９】
0004720571.tif 000010